(57)【要約】【課題】複数のプリントヘッドに関連して位置づけられた複数の階調パッチを有するキャリブレーションチャートを用いる印刷制御装置を提供する。【解決手段】印刷制御装置１００は、印刷装置５００のプリントヘッド５３６乃至５４３により形成される印字の位置に基づく情報と、印字の所望の位置に基づく情報と、の差分を示す差分情報を取得し差分情報により示される差分に対する判定を行う印字ずれ判定部１４０と、および判定の結果に応じて、プリントヘッド５３６乃至５４３により記録媒体上に形成される予め定められる期間内にプリントヘッド５３６乃至５４３により形成される位置に設けられる階調パッチを複数含んだキャリブレーションチャート６００を用いて印刷装置５００の階調補正処理を行うキャリブレーション部１６０と、を有する。【選択図】図２
2013193410.tif 000002
【特許請求の範囲】
【請求項１】
印刷装置の複数のプリントヘッドにより記録媒体上に形成される印字の位置に基づく情報と、該印字の所望の位置に基づく情報と、の差分を示す差分情報を取得する差分情報取得手段と、
前記差分情報により示される前記差分に対する判定を行う判定手段と、
前記判定手段における前記判定の結果に応じて、前記複数のプリントヘッドにより記録媒体上に形成される予め定められる期間内に前記複数のプリントヘッドにより形成される位置に設けられる階調パッチを複数含んだキャリブレーションチャートを用いて前記印刷装置の階調補正処理を行う階調補正手段と、を有する印刷制御装置。
【請求項２】
請求項１に記載の印刷制御装置であって、
前記予め定められる期間は、前記複数のプリントヘッドの全てが形成処理を１度以上行う最も短い期間であることを特徴とする印刷制御装置。
【請求項３】
請求項１又は２に記載の印刷制御装置であって、
前記複数の階調パッチの配置は、前記印刷装置における複数のプリントヘッドの配置に基づいて定められることを特徴とする印刷制御装置。
【請求項４】
請求項１乃至３のいずれかに記載の印刷制御装置であって、
前記差分情報取得手段において、前記差分情報は、少なくとも２つのプリントヘッドについて取得され、
前記判定手段において前記差分情報により示される差分が全て前記閾値以下であると判定された場合に、前記階調補正手段において前記階調補正処理を行う、
ことを特徴とする印刷制御装置。
【請求項５】
請求項１乃至４のいずれかに記載の印刷制御装置であって、
前記差分情報は、前記複数のプリントヘッドのうち、予め定められるプリントヘッドの組により形成される印字間の間隔を示す情報と、所望の間隔を示す情報と、の差分を示す情報であり、
前記判定手段において、前記差分情報により示される前記差分と、予め定められる閾値と、の比較結果に基づく判定を行うことを特徴とする印刷制御装置。
【請求項６】
請求項５に記載の印刷制御装置であって、
前記差分情報取得手段において、前記差分情報は、少なくとも２つのプリントヘッドの組について取得され、
前記判定手段において前記差分情報により示される差分が全て前記閾値以下であると判定された場合に、前記階調補正手段において前記階調補正処理を行う、
ことを特徴とする印刷制御装置。
【請求項７】
コンピュータを、印刷装置の複数のプリントヘッドにより記録媒体上に形成される印字の位置に基づく情報と、該印字の所望の位置に基づく情報と、の差分を示す差分情報を取得する差分情報取得手段と、
前記差分情報により示される前記差分に対する判定を行う判定手段と、
前記判定手段における前記判定の結果に応じて、前記複数のプリントヘッドにより記録媒体上に形成される予め定められる期間内に前記複数のプリントヘッドにより形成される位置に設けられる階調パッチを複数含んだキャリブレーションチャートを用いて前記印刷装置の階調補正処理を行う階調補正手段と、
として機能させるためのプログラム。
【発明の詳細な説明】
【技術分野】
【０００１】
本発明は、印刷制御装置、およびプログラムに関する。
【背景技術】
【０００２】
特許文献１には、複数色のインクを色ごとに吐出する複数のインク吐出部を有する印刷装置であって、インクの吐出量の平均値に相当する量のインクを吐出すインク吐出部による印刷画像の濃度と、基準量のインクによる画像の濃度と、の対応関係に基づいて階調値の補正を行う印刷装置が開示されている。特許文献２には、テストパターンを記録紙上に記録してずれ量を読み取って補正データを生成し、この補正データに基づいて補正した画像データによる記録を行う画像記録装置が開示されている。特許文献３には、記録媒体の搬送速度の誤差量を取得し、取得された誤差量に基づいて画像記録タイミングを調整するレジストレーション補正装置が開示されている。
【先行技術文献】
【特許文献】
【０００３】
【特許文献１】特許第４６１３５０６号公報
【特許文献２】特開２００３−２８５５１８号公報
【特許文献３】特許第２８２０４３３号公報
【発明の概要】
【発明が解決しようとする課題】
【０００４】
本発明の目的の１つは、複数のプリントヘッドに関連して位置づけられた複数の階調パッチを有するキャリブレーションチャートを用いる印刷制御装置、およびプログラムを提供することにある。
【課題を解決するための手段】
【０００５】
上記目的を達成するために、請求項１に記載の発明は、印刷装置の複数のプリントヘッドにより記録媒体上に形成される印字の位置に基づく情報と、該印字の所望の位置に基づく情報と、の差分を示す差分情報を取得する差分情報取得手段と、前記差分情報により示される前記差分に対する判定を行う判定手段と、前記判定手段における前記判定の結果に応じて、前記複数のプリントヘッドにより記録媒体上に形成される予め定められる期間内に前記複数のプリントヘッドにより形成される位置に設けられる階調パッチを複数含んだキャリブレーションチャートを用いて前記印刷装置の階調補正処理を行う階調補正手段と、を有する印刷制御装置である。
【０００６】
また、請求項２に記載の発明は、請求項１に記載の印刷制御装置であって、前記予め定められる期間は、前記複数のプリントヘッドの全てが形成処理を１度以上行う最も短い期間であることを特徴とする印刷制御装置である。
【０００７】
また、請求項３に記載の発明は、請求項１又は２に記載の印刷制御装置であって、前記複数の階調パッチの配置は、前記印刷装置における複数のプリントヘッドの配置に基づいて定められることを特徴とする印刷制御装置である。
【０００８】
また、請求項４に記載の発明は、請求項１乃至３のいずれかに記載の印刷制御装置であって、前記差分情報取得手段において、前記差分情報は、少なくとも２つのプリントヘッドについて取得され、前記判定手段において前記差分情報により示される差分が全て前記閾値以下であると判定された場合に、前記階調補正手段において前記階調補正処理を行う、ことを特徴とする印刷制御装置である。
【０００９】
また、請求項５に記載の発明は、請求項１乃至４のいずれかに記載の印刷制御装置であって、前記差分情報は、前記複数のプリントヘッドのうち、予め定められるプリントヘッドの組により形成される印字間の間隔を示す情報と、所望の間隔を示す情報と、の差分を示す情報であり、前記判定手段において、前記差分情報により示される前記差分と、予め定められる閾値と、の比較結果に基づく判定を行うことを特徴とする印刷制御装置である。
【００１０】
また、請求項６に記載の発明は、請求項５に記載の印刷制御装置であって、前記差分情報取得手段において、前記差分情報は、少なくとも２つのプリントヘッドの組について取得され、前記判定手段において前記差分情報により示される差分が全て前記閾値以下であると判定された場合に、前記階調補正手段において前記階調補正処理を行うことを特徴とする印刷制御装置である。
【００１１】
また、請求項７に記載の発明は、コンピュータを、印刷装置の複数のプリントヘッドにより記録媒体上に形成される印字の位置に基づく情報と、該印字の所望の位置に基づく情報と、の差分を示す差分情報を取得する差分情報取得手段と、前記差分情報により示される前記差分に対する判定を行う判定手段と、前記判定手段における前記判定の結果に応じて、前記複数のプリントヘッドにより記録媒体上に形成される予め定められる期間内に前記複数のプリントヘッドにより形成される位置に設けられる階調パッチを複数含んだキャリブレーションチャートを用いて前記印刷装置の階調補正処理を行う階調補正手段と、として機能させるためのプログラムである。
【発明の効果】
【００１２】
請求項１および７に記載の発明によれば、複数のプリントヘッドに関連づけて位置づけられた複数の階調パッチを有するキャリブレーションチャートを用いる印刷制御装置およびプログラムが提供される。
【００１３】
請求項２に記載の発明によれば、複数のプリントヘッドの全てが形成処理を１度以上行う最も短い期間において、複数のプリントヘッドにより形成される位置に階調パッチを有するキャリブレーションチャートを用いる印刷制御装置が提供される。
【００１４】
請求項３に記載の発明によれば、複数の階調パッチの配置が、印刷装置における複数のプリントヘッドの配置に基づいて定められるキャリブレーションチャートを用いる印刷制御装置が提供される。
【００１５】
請求項４，６に記載の発明によれば、２つ以上の差分情報において示される全ての差分が閾値以下である場合に階調補正処理が行われる印刷制御装置が提供される。
【００１６】
請求項５に記載の発明によれば、２つのプリントヘッドによる印字間の間隔に関する差分に基づく判定が行われる印刷制御装置が提供される。
【図面の簡単な説明】
【００１７】
【図１】本発明の実施形態に係る情報処理システムの構成を示す図である。
【図２】本発明の実施形態に係る印刷制御装置の構成を示す図である。
【図３】本発明の実施形態に係るキャリブレーション部の構成を示す図である。
【図４】本発明の実施形態に係るスキャナの構成を示す図である。
【図５】本発明の実施形態に係る印刷装置の構成を示す図である。
【図６】本発明の実施形態に係る印刷部に含まれるヘッドブロックの構成の一例を示す図である。
【図７】本発明の実施形態に係るキャリブレーションチャートの一例を示す図である。
【図８】本発明の実施形態に係る階調パッチ群を示す図である。
【図９】本発明の実施形態に係るラダー部を示す図である。
【図１０】本実施形態に係る印刷制御装置の動作を示すフローチャートである。
【図１１】本発明の実施形態に係る印刷装置におけるキャリブレーションチャート６００の形成処理を示すフローチャートである。
【発明を実施するための形態】
【００１８】
以下、本発明の実施形態について図面に基づき詳細に説明する。図１は、本発明の実施形態に係る情報処理システム１０００の構成を示す図である。情報処理システム１０００は、印刷制御装置１００、スキャナ３００、および印刷装置５００を含む。
【００１９】
印刷制御装置１００は、ユーザ操作に基づく入力信号およびスキャナ３００から受信される信号等を基に、印刷装置５００を制御する情報処理装置である。印刷制御装置１００は、スキャナ３００から入力される、キャリブレーションチャート６００をスキャンした画像データを基に、印刷装置５００の階調補正情報を生成し、これらに基づいて印刷装置５００を制御することで、印刷装置５００の階調補正を行う。図２は、本発明の実施形態に係る印刷制御装置１００の構成を示す図である。印刷制御装置１００は、制御部１１０、画像データ取得部１２０、印字位置情報取得部１３０、印字ずれ判定部１４０、アライメント補正情報生成部１５０、キャリブレーション部１６０、印刷処理部１７０、外部Ｉ／Ｆ部１８０，１８１および記憶部１９０を含む。制御部１１０、画像データ取得部１２０、印字位置情報取得部１３０、印字ずれ判定部１４０、アライメント補正情報生成部１５０、キャリブレーション部１６０、印刷処理部１７０、および外部Ｉ／Ｆ部１８０，１８１は、ＣＰＵの機能として実現される。記憶部１９０は、メモリーやハードディスク等の記憶素子により実現される。
【００２０】
制御部１１０は、ユーザ操作に基づく入力信号および記憶部１９０に記憶されるプログラム等に基づいて、印刷制御装置１００の動作を制御する。
【００２１】
画像データ取得部１２０は、記憶部１９０に記憶される、後述されるスキャナ３００により読み取られた画像に基づく画像データを取得する。
【００２２】
印字位置情報取得部１３０は、画像データ取得部１２０により取得される画像データから、該画像データにおける予め定められた印字の位置を示す印字位置情報を取得する。
【００２３】
印字ずれ判定部１４０は、印字位置情報取得部１３０により取得される印字位置情報に基づき、画像データにおける印字位置の、所望の位置からのずれを取得し、ずれが予め設定される閾値以下か否かを判定する。
【００２４】
アライメント補正情報生成部１５０は、印字ずれ判定部１４０による判定結果に応じて、印刷装置５００のアライメント補正を行うためのアライメント補正情報を生成する。
【００２５】
キャリブレーション部１６０は、印字ずれ判定部１４０による判定結果に応じて、印刷装置５００の階調補正を行うためのキャリブレーションデータを生成する。図３は、本発明の実施形態に係るキャリブレーション部１６０の構成を示す図である。キャリブレーション部１６０は、濃度情報取得部１６１、濃度情報比較部１６２、および補正情報生成部１６３を含む。
【００２６】
印刷処理部１７０は、制御部１１０からの制御信号に基づいて、記憶部１９０に記憶されている画像データを印刷装置５００に印刷させる印刷命令信号を生成し、外部Ｉ／Ｆ部１８１を介して印刷装置５００に出力する。
【００２７】
外部Ｉ／Ｆ部１８０は、制御部１１０から出力される情報を取得し、これらの情報をスキャナ３００に送信する信号を生成し、スキャナ３００に対して送信する。また、外部Ｉ／Ｆ部１８０は、スキャナ３００から送信される信号を受信して、受信された信号に含まれる画像データ等のデータを取得して制御部１１０に出力する。
【００２８】
外部Ｉ／Ｆ部１８１は、制御部１１０から出力される情報を取得し、これらの情報を印刷装置５００に送信する信号を生成し、印刷装置５００に対して送信する。
【００２９】
スキャナ３００は、印刷制御装置１００からの入力およびユーザからの入力に基づき、書面保持部（図示しない）に置かれた媒体（印刷が行われた印刷用紙）に印字された画像の読み取り処理を行う情報処理装置である。図４は、本発明の実施形態に係るスキャナ３００の構成を示す図である。スキャナ３００は、制御部３１０、画像読み取り部３２０、外部Ｉ／Ｆ部３３０、および記憶部３４０を含む。制御部３１０、および外部Ｉ／Ｆ部３３０はＣＰＵの一機能として実現される。画像読み取り部３２０は、例えば一般的なスキャナにおいて書面の読み取り処理を行う読み取り部と同様に、前述の書面保持部を含んで構成される。記憶部３４０は、メモリーやハードディスク等の記憶装置により実現される。
【００３０】
制御部３１０は、印刷制御装置１００から外部Ｉ／Ｆ部３３０を介して入力される印刷命令信号および記憶部３４０に記憶されるプログラムに基づいて、スキャナ３００の動作を制御する。
【００３１】
外部Ｉ／Ｆ部３３０は、印刷制御装置１００から送信された信号を受信し、受信された信号に含まれる情報を抽出してスキャナ３００の各部に出力する。
【００３２】
印刷装置５００は、印刷制御装置１００から入力される情報を基に印刷処理を行う情報処理装置である。図５は、本発明の実施形態に係る印刷装置５００の構成を示す図である。印刷装置５００は、制御部５１０、外部Ｉ／Ｆ部５２０、印刷部５３０、および記憶部５５０を含む。制御部５１０、および外部Ｉ／Ｆ部５２０はＣＰＵの一機能として実現される。印刷部５３０は、例えば一般的なインクジェット印刷装置において用紙に対して印字を行う印字部と同様に構成される。印刷部５３０は、印刷装置５００における印刷用紙の配紙方向に沿って配置された複数のプリントヘッド５３６乃至５４５をそれぞれ含む複数のヘッドブロック５３１乃至５３５を有する。図６は、本発明の実施形態に係る印刷部５３０に含まれるヘッドブロック５３１乃至５３５の構成の一例を示す図である。記憶部５５０は、メモリーやハードディスク等の記憶装置により実現される。
【００３３】
制御部５１０は、印刷制御装置１００から外部Ｉ／Ｆ部３３０を介して入力される印刷命令信号および記憶部５５０に記憶されるプログラムに基づいて、印刷装置５００の動作を制御する。
【００３４】
外部Ｉ／Ｆ部５２０は、印刷制御装置１００から送信された信号を受信し、受信された信号に含まれる情報を抽出して印刷装置５００の各部に出力する。
【００３５】
次に、印刷制御装置１００、スキャナ３００、および印刷装置５００の動作を詳細に説明する。まず、印刷制御装置１００の制御部１１０は、記憶部１９０に記憶されているキャリブレーションチャート６００を印刷装置５００に印刷させる。図７は、本発明の実施形態に係るキャリブレーションチャート６００の一例を示す図である。キャリブレーションチャート６００は、複数の階調パッチ群６１０乃至６５０を含む。図８は、本発明の実施形態に係る階調パッチ群６１０を示す図である。他の階調パッチ群６２０乃至６５０も同様の構成を有する。階調パッチ群６１０は、インクの色それぞれ（例えばシアン、マゼンタ、イエロー、ブラック）に対応する階調パッチ６１１乃至６１４、およびラダー部６１５乃至６１８を含む。図９は本発明の実施形態に係るラダー部６１５を示す図である。ラダー部６１５は、１つのヘッドブロック（ヘッドブロック５３１）のプリントヘッド（プリントヘッド５３６）により印刷される印字６６０，６６１，６６２およびプリントヘッド（プリントヘッド５３７）により印字される印字６６３，６６４，６６５を含み、印字間の間隔（ｄ１，ｄ２）は等しい。そして、階調パッチ群６１０乃至６５０のそれぞれの配置は、ヘッドブロック５３１乃至５３５（すなわちプリントヘッド５３６乃至５４５。以下も同様。）の配置に基づいて定められる。すなわち階調パッチ群６１０乃至６５０は、ヘッドブロック５３１乃至５３５の配置と同等の位置関係を有するよう配置される。すなわち階調パッチ群６１０乃至６５０は、予め定められる期間内（例えば同時、ヘッドブロック５３１乃至５３５の全てが形成処理を１度以上行う最も短い期間内）にヘッドブロック５３１乃至５３５のそれぞれによりに形成される位置に配置される。すなわち階調パッチ群６１０乃至６５０は、記録媒体が予め定められる範囲内（例えば固定、ヘッドブロック５３１乃至５３５の全てが形成処理を１度以上行う最も短い期間内における存在する（搬送される）範囲）に存在する場合にヘッドブロック５３１乃至５３５のそれぞれによりに形成される位置に配置される。
【００３６】
印刷装置５００においてキャリブレーションチャート６００が形成された記録媒体はスキャナ３００の書面保持部（図示しない）に置かれ、スキャナ３００の画像読み取り部３２０により読み取られる。読み取られた画像の画像データは記憶部３４０に記憶され、印刷制御装置１００からの信号に基づいて印刷制御装置１００に送信される。
【００３７】
印刷制御装置１００により受信された画像データは、記憶部１９０に記憶される。画像データ取得部１２０は、記憶部１９０に記憶される画像データを取得し、取得された画像データについて、印字位置情報取得部１３０は書面に印刷された印字６６０乃至６６５のそれぞれの位置を示す印字位置情報を取得する。印字位置情報は、例えば各印字の用紙縦方向および横方向の座標からなる。
【００３８】
次に印字ずれ判定部１４０が、印字位置情報取得部１３０により取得される印字位置情報と、予め取得されるキャリブレーションチャート６００における印字の位置（所望の位置）を示す印字位置情報と、を比較して、印刷された書面における印字の位置の所望の位置からのずれが予め設定される閾値以下であるか否かを判定する。具体的には、印字ずれ判定部１４０は、複数のヘッドブロック５３１乃至５３５のそれぞれについて、含まれるプリントヘッド（例えばプリントヘッド５３６，５３７）のうち一方のプリントヘッド５３６による印字６６０，６６１，６６２と他方のプリントヘッド５３７による印字６６３，６６４，６６５との間隔（図９におけるｄ１，ｄ２）を示す情報を取得する。そしてヘッドブロック５３１乃至５３５の全てにおいて、取得される間隔と、所望の間隔との差分が予め定められる閾値以下である場合に、印字位置のずれが閾値以下であると判定する。
【００３９】
キャリブレーション部１６０は、印字ずれ判定部１４０において印字位置のずれが閾値以下であると判定された場合、キャリブレーションチャート６００を用いて階調補正処理を行う。まず、濃度情報取得部１６１が、キャリブレーションチャート６００の１つの階調パッチ群（例えば階調パッチ群６３０）について、その濃度を示す濃度情報を取得する。そして濃度情報比較部１６２は、濃度情報取得部１６１により取得された濃度情報と、予め定められる当該階調パッチ群の目標濃度を示す目標濃度情報と、を比較し、比較結果（差分が予め定められる範囲内か、差分が範囲外である場合、どの程度濃度が高い（低い）か）を補正情報生成部１６３に出力する。補正情報生成部１６３は、入力される比較結果を基に、当該階調パッチ群で印刷される濃度を目標濃度になるよう補正する補正情報を生成する。生成された補正情報は記憶部１９０に記憶され、以降の印刷装置５００による印刷処理において使用される。
【００４０】
アライメント補正情報生成部１５０は、印字ずれ判定部１４０において印字位置のずれの少なくとも１つが閾値より大きいと判定された場合、印字の間隔（図９におけるｄ１，ｄ２）が等しくなるようヘッドブロック５３１乃至５３５のそれぞれに含まれるプリントヘッド５３６乃至５４５それぞれの吐出タイミングを補正するアライメント補正情報を生成する。生成されたアライメント補正情報は記憶部１９０に記憶され、以降の印刷装置による印刷処理に使用される。
【００４１】
次に、印刷制御装置１００の動作を、フローチャートを用いて説明する。図１０は、本実施形態に係る印刷制御装置１００の動作を示すフローチャートである。まず、印刷制御装置１００は、キャリブレーションチャート６００の印刷を行う（Ｓ１００１）。ここで、階調パッチ群６１０乃至６５０のそれぞれの配置は、ヘッドブロック５３１乃至５３５（すなわちプリントヘッド５３６乃至５４５。以下も同様。）の配置に基づいて定められる。すなわち、階調パッチ群６１０乃至６５０は、ヘッドブロック５３１乃至５３５の配置と同等の位置関係を有するよう配置される。すなわち階調パッチ群６１０乃至６５０は、予め定められる期間内（例えば同時、ヘッドブロック５３１乃至５３５の全てが形成処理を１度以上行う最も短い期間内）にヘッドブロック５３１乃至５３５のそれぞれによりに形成される位置に配置される。すなわち階調パッチ群６１０乃至６５０は、記録媒体が予め定められる範囲内（例えば固定、ヘッドブロック５３１乃至５３５の全てが形成処理を１度以上行う最も短い期間内における存在する（搬送される）範囲）に存在する場合にヘッドブロック５３１乃至５３５のそれぞれによりに形成される位置に配置される。
【００４２】
次に、印字位置情報取得部１３０は、Ｓ１００１において印刷されたキャリブレーションチャート６００における印字６６０乃至６６５の位置を示す印字位置情報を取得する（Ｓ１００２）。次に、印字ずれ判定部１４０は、Ｓ１００２において取得された印字位置情報に基づく情報（印字間隔）と、該印字の所望の位置に基づく情報（印字間隔）との差分をヘッドブロック５３１乃至５３５の全てについて取得し、全ての差分が予め定められる閾値以下であるか判定し（Ｓ１００３）、少なくとも１つの差分が閾値より大きい場合にはアライメント補正情報生成部１５０がアライメント補正情報を生成したうえで（Ｓ１００４）、Ｓ１００１に戻り、キャリブレーションチャート６００の印刷を行う。Ｓ１００３において全ての差分が閾値以下であると判定された場合には、キャリブレーション部１６０が階調補正処理を行い（Ｓ１００５）、生成された階調補正情報が記憶部１９０に保存されて（Ｓ１００６）、印刷制御装置１００による処理は終了する。
【００４３】
次に、印刷装置５００におけるキャリブレーションチャート６００の形成処理を、フローチャートを用いて説明する。図１１は、本発明の実施形態に係る印刷装置５００におけるキャリブレーションチャート６００の形成処理を示すフローチャートである。印刷制御装置１００から印刷命令が入力されると（Ｓ１１０１）、印刷装置５００のヘッドブロック５３１乃至５３５（すなわちプリントヘッド５３６乃至５４５）は、キャリブレーションチャート６００を形成する（Ｓ１１０２）。キャリブレーションチャート６００において、階調パッチ群６１０乃至６５０のそれぞれの配置は、ヘッドブロック５３１乃至５３５（すなわちプリントヘッド５３６乃至５４５。以下も同様。）の配置に基づいて定められる。すなわち、階調パッチ群６１０乃至６５０は、ヘッドブロック５３１乃至５３５の配置と同等の位置関係を有するよう配置される。すなわち階調パッチ群６１０乃至６５０は、予め定められる期間内（例えば同時、ヘッドブロック５３１乃至５３５の全てが形成処理を１度以上行う最も短い期間内）にヘッドブロック５３１乃至５３５のそれぞれによりに形成される位置に配置される。すなわち階調パッチ群６１０乃至６５０は、記録媒体が予め定められる範囲内（例えば固定、ヘッドブロック５３１乃至５３５の全てが形成処理を１度以上行う最も短い期間内における存在する（搬送される）範囲）に存在する場合にヘッドブロック５３１乃至５３５のそれぞれによりに形成される位置に配置される。以上で印刷装置５００におけるキャリブレーションチャート６００の形成処理は終了する。
【００４４】
以上の構成により、複数のプリントヘッド５３６乃至５４５に関連して位置づけられた複数の階調パッチを有するキャリブレーションチャート６００を用いる印刷制御装置１００が提供される。ここで、プリントヘッド５３６乃至５４４（すなわちヘッドブロック５３１乃至５３５）の配置（位置関係）に応じた位置に階調パッチ群６１０乃至６５０が設けられたキャリブレーションチャート６００が形成され、該キャリブレーションチャート６００を使用した階調補正処理が行われる。その結果、例えば記録媒体の搬送速度の変動に起因する、すなわちプリントヘッド５３６乃至５４５（すなわちヘッドブロック５３１乃至５３５）の位置関係に基づいて定められる複数の位置において共通して発生する色差等の影響を考慮した、階調補正処理が実行される。
【００４５】
また、予め印字位置の所望の位置からのずれ（印字ずれ）に対して判定処理を行い、印字ずれが閾値より小さい場合に階調補正処理を実行する構成とすることで、印字ずれの影響が排除された状態で階調補正処理が実行されることになり、階調補正処理の効率が向上する。
【００４６】
なお、本実施形態ではキャリブレーションチャート６００にラダー部６１５乃至６１８が含まれている構成が開示されたが、ラダー部６１５乃至６１８とキャリブレーションチャート６００とを別個のチャートとして形成（印刷）してもよく、例えばラダー部６１５乃至６１８のみからなるチャートを形成して印字ずれ判定部１４０による判定をした後、改めてラダー部６１５乃至６１８を含まないキャリブレーションチャート６００を形成する構成としてもよい。
【００４７】
また、印刷装置５００が複数種の液滴サイズによる印刷処理を行うものである場合、液滴サイズに応じて空気抵抗等の影響が異なるため、階調表現において発生する影響も液滴サイズに応じて異なることが考えられる。よって複数種の液滴サイズによる印刷処理を行う印刷装置５００の制御においては、液滴サイズごとに階調補正情報が生成される構成としてもよい。
【００４８】
また、本実施形態においては印刷制御装置１００、スキャナ３００、および印刷装置５００が別個の装置として設けられる構成が示されたが、本発明はこれに限定されず、印刷制御装置１００、スキャナ３００、および印刷装置５００のうち２つ又は３つの装置の機能が１つの装置において実現される構成としてもよい。
【００４９】
なお、ここで述べた印刷制御装置１００の動作は、印刷制御装置１００の記憶部１９０に記憶されるプログラムを動作させることで実現される。このプログラムは通信によって提供されてもよいし、コンピュータによる読み取りが可能な、ＣＤ−ＲＯＭ等の記憶媒体に格納されて提供されてもよい。
【符号の説明】
【００５０】
１０００  情報処理システム、１００  印刷制御装置、１１０  制御部、１２０  画像データ取得部、１３０  印字位置情報取得部、１４０  印字ずれ判定部、１５０  アライメント補正情報生成部、１６０  キャリブレーション部、１６１  濃度情報取得部、１６２  濃度情報比較部、１６３  補正情報生成部、１７０  印刷処理部、１８０，１８１  外部Ｉ／Ｆ部、１９０  記憶部、３００  スキャナ、３１０  制御部、３２０  画像読み取り部、３３０  外部Ｉ／Ｆ部、３４０  記憶部、５００  印刷装置、５１０  制御部、５２０  外部Ｉ／Ｆ部、５３０  印刷部、５３１，５３２，５３３，５３４，５３５  ヘッドブロック、５３６，５３７，５３８，５３９，５４０，５４１，５４２，５４３，５４４，５４５  プリントヘッド、５５０  記憶部、６００  キャリブレーションチャート、６１０，６２０，６３０，６４０，６５０  階調パッチ群、６１１，６１２，６１３，６１４  階調パッチ、６１５，６１６，６１７，６１８  ラダー部、６６０，６６１，６６２，６６３，６６４，６６５  印字。
【図１】
2013193410.tif 000003
【図２】
2013193410.tif 000004
【図３】
2013193410.tif 000005
【図４】
2013193410.tif 000006
【図５】
2013193410.tif 000007
【図６】
2013193410.tif 000008
【図９】
2013193410.tif 000009
【図１０】
2013193410.tif 000010
【図１１】
2013193410.tif 000011
【図７】
2013193410.tif 000012
【図８】
2013193410.tif 000013